(57)【要約】      （修正有）【課題】簡単におはしょりを作ることができるとともに、簡単に裾を左右内方に絞り、かつ、簡単に右下前衽の裾を左上前衽の裾よりも高めにセットできる和服を提供する。【解決手段】着用者の胴部に巻いておはしょりに見せる擬似おはしょり帯２０を、和服本体１０とは別体に形成する。そして、和服本体１０は、身丈がおはしょりを折らない状態で着用者の丈に適合し、右身頃１２Ｒの右縁から左身頃１２Ｌの左縁までの巾が裾ｅでその上側よりも窄み、かつ、下重ねとなる右下前衽１３Ｒの裾の横ラインＲｘの最下点Ｒｐの方が、上重ねとなる左上前衽１３Ｌの裾の横ラインＬｘの最上点Ｌｐよりも上方にくるように仕立てる。【選択図】図１
0003193722.tif 000002
【実用新案登録請求の範囲】
【請求項１】
和服本体（１０）を着用した着用者（Ｈ）の胴部に巻いておはしょりに見せる擬似おはしょり帯（２０）が、和服本体（１０）とは別体に形成され、
和服本体（１０）は、身丈がおはしょりを折らない状態で着用者（Ｈ）の丈に適合し、右身頃（１１Ｒ，１２Ｒ）の右縁から左身頃（１１Ｌ，１２Ｌ）の左縁までの巾が裾（ｅ）でその上側よりも窄み、かつ、下重ねとなる右下前衽（１３Ｒ）の裾の横ライン（Ｒｘ）の最下点（Ｒｐ）の方が、上重ねとなる左上前衽（１３Ｌ）の裾の横ライン（Ｌｘ）の最上点（Ｌｐ）よりも上方にくるように仕立てられた和服。
【請求項２】
擬似おはしょり帯（２０）には、右前身頃（１２Ｒ）と右後身頃（１１Ｒ）との間の縫目に見せる縫目（ｓ１）と、右後身頃（１１Ｒ）と左後身頃（１１Ｌ）との間の縫目に見せる縫目（ｓ２）と、左後身頃（１１Ｌ）と左前身頃（１２Ｌ）との間の縫目に見せる縫目（ｓ３）と、左前身頃（１２Ｌ）と左上前衽（１３Ｌ）との間の縫目に見せる縫目（ｓ４）と、左上前衽（１３Ｌ）と左襟（１４Ｌ）との間の縫目に見せる縫目（ｓ５）とが形成された請求項１記載の和服。
【請求項３】
擬似おはしょり帯（２０）は、右前身頃（１２Ｒ）に見せる擬似右前身頃（２２Ｒ）を構成する布と、右後身頃（１１Ｒ）に見せる擬似右後身頃（２１Ｒ）を構成する布と、左後身頃（１１Ｌ）に見せる擬似左後身頃（２１Ｌ）を構成する布と、左前身頃（１２Ｌ）に見せる擬似左前身頃（２２Ｌ）を構成する布と、左上前衽（１３Ｌ）に見せる擬似左上前衽（２３Ｌ）を構成する布と、左襟（１４Ｌ）に見せる擬似左襟（２４Ｌ）を構成する布とが縫い合わされてなる請求項２記載の和服。
【請求項４】
擬似おはしょり帯（２０）の上部の複数箇所にはダーツ（２８）が形成されたことにより、該上部の方が下部よりも絞り込まれ、
擬似おはしょり帯（２０）の下重ねとなる一端部の表面上部には、オス型及びメス型の一方の面ファスナー（２９Ｒ）が縫い付けられ、擬似おはしょり帯（２０）の上重ねとなる他端部の裏面上部には、オス型及びメス型の他方の面ファスナー（２９Ｌ）が縫い付けられた請求項１〜３のいずれか一項に記載の和服。
【請求項５】
前記右身頃（１１Ｒ，１２Ｒ）の右縁から左身頃（１１Ｌ，１２Ｌ）の左縁までの巾は、裾（ｅ）での巾の方が、裾上３０ｃｍの位置（ｕ）での巾よりも２〜１２ｃｍ小さい請求項１〜４のいずれか一項に記載の和服。
【請求項６】
右下前衽（１３Ｒ）の裾の横ライン（Ｒｘ）の最下点（Ｒｐ）の方が、左上前衽（１３Ｌ）の裾の横ライン（Ｌｘ）の最上点（Ｌｐ）よりも２〜９ｃｍ上方にくる請求項１〜５のいずれか一項に記載の和服。
【請求項７】
後からみて、掛襟（１４）の下端の横ライン（Ｃｘ）は、その左右中央の方が左右両端よりも３〜８ｃｍ下方にくる請求項１〜６のいずれか一項に記載の和服。
【考案の詳細な説明】
【技術分野】
【０００１】
本考案は、和服に関する。
【背景技術】
【０００２】
図７に示す従来例１の一般的な長尺の和服８１は、丈の寸法を実際に着る人の寸法よりも長く作ってある。そして、着付けの際には、図７の（ａ）〜（ｃ）に示すように、胴部分におはしょり８７を折り込むことにより、着用者の背丈に応じて裾を合わせる。このとき、裾ｅが広がることや、下重ねとなる右下前衽８３Ｒの裾ｅＲが上重ねとなる左上前衽８３Ｌの裾ｅＬの下方にはみ出し見えるのは格好の悪いものなので、図７（ｃ）に示すように、裾ｅを左右内方に少し絞るとともに、右上前衽８３Ｒの裾ｅＲを左上前衽８３Ｌの裾ｅＬよりも少し高めにセットすることが多い。
【０００３】
しかしながら、和服の着付けでは、おはしょりを折り込む作業が一番難しく、それを理由に和服を着るのを躊躇う人も多い。そのため、和服の中には、図８（ａ）〜（ｃ）に示す従来例２（特許文献１）の和服のように、和服本体８０を着用した着用者Ｈの胴部に巻いておはしょりに見せる擬似おはしょり帯８７が、和服本体８０とは別体に形成されたものもある。
【特許文献１】特開２００１−１５９００６号公報
【考案の概要】
【考案が解決しようとする課題】
【０００４】
しかしながら、従来例２では、次の［１］〜［３］の課題がある。
［１］従来例２では、実施例１のように実際におはしょりを折り込む訳ではないので、該おはしょり（おはしょり帯）よりも下方の部分を自由にセットすることは難しく、よって、裾ｅを左右内方に少し絞ることや、右上前衽９３Ｒの裾ｅＲを左上前衽９３Ｌの裾ｅＬよりも少し高めにセットすることは難しい。
［２］和服本体９０は、一般的な和服と同様、右身頃９２Ｒを構成する布と、左身頃９２Ｌを構成する布と、右下前衽９３Ｒを構成する布と、左上前衽９３Ｌを構成する布と、襟９４Ｒ，９４Ｌを構成する布と、掛襟９４を構成する布と、右袖９５Ｒを構成する布と、左袖９５Ｌを構成する布とが縫い合わされてなるが、おはしょり帯９７は一枚の布からなるため、よく見ると不自然であり本物らしく見えない。
［３］従来例２では、和服本体９０の胴部に縫い付けたオス型及びメス型の一方の面ファスナー９６に、おはしょり帯の裏面に縫い付けたオス型及びメス型の他方の面ファスナーを係合させることによって、おはしょり帯９７を胴部に止めているが、このようにして係合させた場合、和服本体９０の胴部に対するおはしょり帯９７の位置が決まってしまうため、自由に着付けることができない。
【０００５】
そこで、上記の［１］〜［３］の課題を解決することを目的とする。
【課題を解決するための手段】
【０００６】
上記［１］の課題を解決するため、本考案の和服は、和服本体を着用した着用者の胴部に巻いておはしょりに見せる擬似おはしょり帯が、和服本体とは別体に形成され、和服本体は、身丈がおはしょりを折らない状態で着用者の丈に適合し、右身頃の右縁から左身頃の左縁までの巾が裾でその上側よりも窄み、かつ、下重ねとなる右下前衽の裾の横ラインの最下点の方が、上重ねとなる左上前衽の裾の横ラインの最上点よりも上方にくるように仕立てられている。
【０００７】
また、上記［２］の課題を解決するため、擬似おはしょり帯には、右前身頃と右後身頃との間の縫目に見せる縫目と、右後身頃と左後身頃との間の縫目に見せる縫目と、左後身頃と左前身頃との間の縫目に見せる縫目と、左前身頃と左上前衽との間の縫目に見せる縫目と、左上前衽と左襟との間の縫目に見せる縫目とが形成されていることが好ましい。より本物らしく見えるからである。
【０００８】
また、更に、擬似おはしょり帯は、右前身頃に見せる擬似右前身頃を構成する布と、右後身頃に見せる擬似右後身頃を構成する布と、左後身頃に見せる擬似左後身頃を構成する布と、左前身頃に見せる擬似左前身頃を構成する布と、左上前衽に見せる擬似左上前衽を構成する布と、左襟に見せる擬似左襟を構成する布とが縫い合わされてなることが好ましい。
【０００９】
また、上記［３］の課題を解決するため、擬似おはしょり帯の上部の複数箇所にはダーツが形成されたことにより、該上部の方が下部よりも絞り込まれ、擬似おはしょり帯の下重ねとなる一端部の表面上部には、オス型及びメス型の一方の面ファスナーが縫い付けられ、擬似おはしょり帯の上重ねとなる他端部の裏面上部には、オス型及びメス型の他方の面ファスナーが縫い付けられていることが好ましい。和服本体の胴部に面ファスナーを縫い付けなくても、おはしょり帯の上部を絞るとともに、該絞った上部に面ファスナーを取り付けることにより、該おはしょり帯を着用者の胴部に止め易くすることができるからである。
【００１０】
和服本体は、各部の寸法は、特に限定されないが、より綺麗に着られるように、次の［ア］〜［ウ］の寸法であることが好ましい。なお、以下に示す寸法は、前後の右身頃の右縁の折目を該前後の右身頃の境の縫目に合わせ、前後の左身頃の左縁の折目を該前後の左身頃の境の縫目に合わせるとともに、シワのないように展ばした状態でみたときの寸法である。
【００１１】
［ア］右身頃の右縁から左身頃の左縁までの巾は、裾での巾の方が、裾上３０ｃｍの位置での巾よりも２〜１２ｃｍ小さいことが好ましく、３〜１１ｃｍ小さいことがより好ましく、４〜１０ｃｍ小さいことが更に好ましい。
【００１２】
［イ］右下前衽の裾の横ラインの最下点の方が、左上前衽の裾の横ラインの最上点よりも２〜９ｃｍ上方にくることが好ましく、３〜８ｃｍ上方にくることがより好ましく、３．５〜７ｃｍ上方にくることが更に好ましい。
【００１３】
［ウ］後からみて、掛襟の下端の横ラインは、その左右中央の方が左右両端よりも３〜８ｃｍ下方にくることが好ましく、４〜８ｃｍ下方にくることがより好ましく、５〜７ｃｍ下方にくることが更に好ましい。
【考案の効果】
【００１４】
本考案によれば、簡単におはしょりを作る（擬似おはしょり帯で表現する）ことができるとともに、簡単に裾を左右内方に絞り、かつ、簡単に下重ねとなる右下前衽の裾を上重ねとなる左上前衽の裾よりも高めにセットすることができる。
【図面の簡単な説明】
【００１５】
【図１】実施例の和服を示す正面図である。
【図２】実施例の和服を示す背面図である。
【図３】実施例の和服を示す背面図（右下前衽及び左上前衽を展開した状態）である。
【図４】実施例の和服本体を着用者が着用した状態を示す正面図である。
【図５】実施例の擬似おはしょり帯を着用者が着用した状態を示す正面図である。
【図６】実施例の和服を着用者が着用した状態を示す正面図である。
【図７】従来例１の和服を着用者が着用する際の手順を（ａ）〜（ｃ）に示す正面図である。
【図８】従来例２の和服を着用者が着用する際の手順を（ａ）〜（ｃ）に示す正面図である。
【考案を実施するための形態】
【実施例１】
【００１６】
図１〜図６に示す本実施例１の和服９は、次に示す和服本体１０と、擬似おはしょり帯２０とを含み構成されている。
【００１７】
［和服本体１０］
和服本体１０は、右身頃（右後身頃１１Ｒ及び右前身頃１２Ｒ）を構成する布と、左身頃（左後身頃１１Ｌ及び左前身頃１２Ｌ）を構成する布と、右下前衽１３Ｒを構成する布と、左上前衽１３Ｌを構成する布と、襟（右襟１４Ｒ及び左襟１４Ｌ）を構成する布と、掛襟１４を構成する布と、右袖１５Ｒを構成する布と、左袖１５Ｌを構成する布とが縫い合わされてなる。
【００１８】
この和服本体１０は、前後の右身頃１１Ｒ，１２Ｒの右縁の折目を該前後の右身頃１１Ｒ，１２Ｒの境の縫目に合わせ、前後の左身頃１１Ｌ，１２Ｌの左縁の折目を該前後の左身頃１１Ｌ，１２Ｌの境の縫目に合わせるとともに、シワのないように展ばした状態（図１及び図２に示す状態）でみて、次のように構成されている。
【００１９】
まず、前後の右身頃１１Ｒ，１２Ｒの右縁の縦ラインＲｙは、右袖１５Ｒの袖付けの下方にある身八ツ口１９Ｒの下端から下方に向かうに従い徐々に左方に１〜３ｃｍ程度（鯨尺で５分程度）入り込んでいる。また、前後の左身頃１１Ｌ，１２Ｌの左縁の縦ラインＬｙは、左袖１５Ｌの袖付けの下方にある身八ツ口１９Ｌの下端から下方に向かうに従い徐々に右方に１〜３ｃｍ程度（鯨尺で５分程度）入り込んでいる。それにより、右身頃１１Ｒ，１２Ｒの右縁から左身頃１１Ｌ，１２Ｌの左縁までの巾は、その裾上３０ｃｍの位置ｕ，ｕでの巾よりも２〜５ｃｍ程度小さくなっている。
【００２０】
詳しくは、図３に２点差線で示すように、前後の右身頃１１Ｒ，１２Ｒの境及びその周辺部分で、前後の右身頃１１Ｒ，１２Ｒを内側に折り込んだ状態で縫い付けることによって右身頃１１Ｒ，１２Ｒの右縁の縦ラインＲｙを上記のように修正している。また、前後の左身頃１１Ｌ，１２Ｌの境及びその周辺部分で、前後の左身頃１１Ｌ，１２Ｌを内側に折り込んだ状態で縫い付けることによって左身頃１１Ｌ，１２Ｌの左縁の縦ラインＬｙを上記のように修正している。このとき、右縁の裾では、右後身頃１１Ｒは４〜８ｃｍ程度（鯨尺で１寸５分程度）が内側に折り込まれ、右前身頃１２Ｒは１〜３ｃｍ程度（鯨尺で５分程度）が内側に折り込まれている。また、左縁の裾では、左後身頃１１Ｌは４〜８ｃｍ程度（鯨尺で１寸５分程度）が内側に折り込まれ、左前身頃１２Ｌは１〜３ｃｍ程度（鯨尺で５分程度）が内側に折り込まれている。
【００２１】
また、右前身頃１２Ｒの裾の横ラインｒｘ及び右下前衽１３Ｒの裾の横ラインＲｘは、右端から左方に向かうに従い徐々に上方に入り込んで、右前身頃１２Ｒの右端よりも右下前衽１３Ｒの左端（褄先）は３〜５ｃｍ程度（鯨尺で１寸程度）上方に入り込んでいる。また、左前身頃１２Ｌの裾の横ラインｌｘ及び左上前衽１３Ｌの裾の横ラインＬｘは、左端から右方に向かうに従い徐々に下方に進出して、左前身頃１２Ｌの左端よりも左上前衽１３Ｌの右端（褄先）は１〜３ｃｍ程度（鯨尺で５分程度）下方に進出している。それにより、右下前衽１３Ｒの裾の横ラインＲｘの最下点Ｒｐ（右端）の方が、左上前衽１３Ｌの裾の横ラインＬｘの最上点Ｌｐ（左端）よりも２〜７ｃｍ程度上方にくるようになっている。
【００２２】
また、掛襟１４は、後から見てその左右中央が下方に下がるように右後身頃１１Ｒ及び左後身頃１１Ｌの上部に縫い付けられており、それによって、掛襟１４の下端の横ラインＣｘは、その左右中央の方が左右両端よりも４〜８ｃｍ程度（鯨尺で１寸５分程度）下方にくるようになっている。
【００２３】
［擬似おはしょり帯２０］
擬似おはしょり帯２０は、右前身頃１２Ｒに見せる擬似右前身頃２２Ｒを構成する布と、右後身頃１１Ｒに見せる擬似右後身頃２１Ｒを構成する布と、左後身頃１１Ｌに見せる擬似左後身頃２１Ｌを構成する布と、左前身頃１２Ｌに見せる擬似左前身頃２２Ｌを構成する布と、左上前衽１３Ｌに見せる擬似左上前衽２３Ｌを構成する布と、左襟１４Ｌに見せる擬似左襟２４Ｌを構成する布とが縫い合わされてなる。そのため、擬似おはしょり帯２０には、右前身頃１２Ｒと右後身頃１１Ｒとの間の縫目に見せる縫目ｓ１と、右後身頃１１Ｒと左後身頃１１Ｌとの間の縫目に見せる縫目ｓ２と、左後身頃１１Ｌと左前身頃１２Ｌとの間の縫目に見せる縫目ｓ３と、左前身頃１２Ｌと左上前衽１３Ｌとの間の縫目に見せる縫目ｓ４と、左上前衽１３Ｌと左襟１４Ｌとの間の縫目に見せる縫目ｓ５とが形成されている。
【００２４】
ここで、擬似右後身頃２１Ｒを構成する布と擬似右前身頃２２Ｒを構成する布とは、和服本体１０の右身頃１１Ｒ，１２Ｒを構成する布の共布である。また、擬似左後身頃２１Ｌを構成する布と擬似左前身頃２２Ｌを構成する布とは、和服本体１０の左身頃１１Ｌ，１２Ｌを構成する布の共布である。また、擬似左上前衽２３Ｌを構成する布は、和服本体１０の左上前衽１３Ｌを構成する布の共布である。また、擬似左襟２４Ｌを構成する布は、和服本体１０の左襟１４Ｌを構成する布の共布である。
【００２５】
この擬似おはしょり帯２０の上部の複数箇所にはダーツ２８が形成されたことにより、該上部の方が下部よりも絞り込まれている。そして、このおはしょり帯２０の一端部にある擬似右前身頃２２Ｒの表面上部には、オス型の面ファスナー２９Ｒが縫い付けられ、また、他端部にある擬似左襟２４Ｌの裏面上部には、オス型の面ファスナー２９Ｒよりも左右方向に長いメス型の面ファスナー２９Ｌが縫い付けられている。そして、オス型の面ファスナー２９Ｒをメス型の面ファスナー２９Ｌに係合させる位置を調節することにより、胴回りの寸法を調節できるようになっている。
【００２６】
次に、以上に示した和服９を着る際の手順を説明する。
［１］まず、図４に示すように、着用者Ｈが和服本体１０をおはしょりを折り込まずに着る。
［２］次に、図５に示すように、着用者Ｈの胴部に和服本体１０の上（外周側）からおはしょり帯２０を巻装する。このとき、該おはしょり帯２０の擬似右前身頃２２Ｒを下重ねにして擬似左襟２４Ｌを上重ねにする形で、擬似右前身頃２２Ｒの表面上部のオス型の面ファスナー２９Ｒに、擬似左襟２４Ｌの裏面下部のメス型の面ファスナー２９Ｌを係合させる。
［３］次に、図６に示すように、おはしょり帯２０の上部の上（外周側）から和服帯３０を巻装する。これにより、和服帯３０の下方におはしょり帯２０が数センチ露出する。
【００２７】
本実施例の和服９によれば次の［ア］〜［オ］の効果を得ることができる。
［ア］和服本体１０は、裾での巾の方が、裾上３０ｃｍの位置ｕ，ｕでの巾よりも小さくなっているため、簡単に裾を左右内方に少し絞り込んだ形でセットすることができる。
［イ］右下前衽１３Ｒの裾の横ラインＲｘ（その最下点Ｒｐ）の方が、左上前衽１３Ｌの裾の横ラインＬｘ（その最上点Ｌｐ）よりも上方にあるため、簡単に右下前衽１３Ｒの裾を左上前衽１３Ｌの裾よりも少し高めにセットすることができる。
［ウ］掛襟１４の下端の横ラインＣｘは、その左右中央の方が左右両端よりも下方にくるようになっているため、打ち上げを縫い付けることなく、掛襟１４の左右中央部を下方に下げることができる。
［エ］擬似おはしょり帯２０は、和服本体１０の共布が縫い合わされてなるため、より本物らしく見える。
［オ］擬似おはしょり帯２０は、その上部が絞られるとともに、該絞られた上部に面ファスナー２９Ｒ，２９Ｌが取り付けられているため、着用者Ｈの胴部に止め易い。
【００２８】
なお、本考案は上記実施例に限定されるものではなく、考案の趣旨を逸脱しない範囲で各部の構成や形状を任意に変更して実施することもできる。
【符号の説明】
【００２９】
９    和服
１０    和服本体
１１Ｒ  右後身頃（右身頃）
１１Ｌ  左後身頃（左身頃）
１２Ｒ  右前身頃（右身頃）
１２Ｌ  左前身頃（左身頃）
１３Ｒ  右下前衽
１３Ｌ  左上前衽
１４Ｌ  左襟
２０    擬似おはしょり帯
２１Ｒ  擬似右後身頃
２１Ｌ  擬似左後身頃
２２Ｒ  擬似右前身頃
２２Ｌ  擬似左前身頃
２３Ｌ  擬似左上前衽
２４Ｌ  擬似左襟
２８    ダーツ
２９Ｒ  オス型の面ファスナー
２９Ｌ  メス型の面ファスナー
Ｈ    着用者
ｓ１  擬似右前身頃と擬似右後身頃との間の縫目
ｓ２  擬似右後身頃と擬似左後身頃との間の縫目
ｓ３  擬似左後身頃と擬似左前身頃との間の縫目
ｓ４  擬似左前身頃と擬似左上前衽との間の縫目
ｓ５  擬似左上前衽と擬似左襟との間の縫目
ｅ    裾
ｕ    裾上３０ｃｍの位置
Ｒｘ    右下前衽の裾の横ライン
Ｒｐ    右下前衽の裾の横ラインの最下点
Ｌｘ    左上前衽の裾の横ライン
Ｌｐ    左上前衽の裾の横ラインの最上点
【図１】
0003193722.tif 000003
【図２】
0003193722.tif 000004
【図３】
0003193722.tif 000005
【図４】
0003193722.tif 000006
【図５】
0003193722.tif 000007
【図６】
0003193722.tif 000008
【図７】
0003193722.tif 000009
【図８】
0003193722.tif 000010